(57)【特許請求の範囲】
【請求項１】
接続面側に雌ねじ部を有する袋ナット部と、この袋ナット部に一体連設されるアンカー部とを備えて、コンクリート製のセグメント本体に、前記接続面がセグメント本体の連結端面と同面となるように埋設装備されるコンクリートセグメント用連結金具であって、
前記袋ナット部のねじ軸心と平行で、かつ、そのねじ軸心を含まない面を有したフランジを、これと前記袋ナット部とに亘る連設部を架設することにより、前記袋ナット部の外周より外側に位置させた状態で、かつ、前記フランジと連設部との前記接続面側の端面を前記接続面よりも前記アンカー部側へ引退させた状態で該袋ナット部に一体に連設してあるコンクリートセグメント用連結金具。
【請求項２】
前記連設部に貫通孔とリブを形成し、前記ねじ軸心に沿って前記貫通孔を跨いだ状態で前記リブを形成してある請求項１に記載のコンクリートセグメント用連結金具。
【請求項３】
一方のコンクリートセグメントに埋設される第１連結金具と、他方のコンクリートセグメントに埋設される第２連結金具と、これら両連結金具を螺着する連結ボルトとを用いて連結するコンクリートセグメントの連結構造であって、
前記第２連結金具が、接続面側に雌ねじ部を有する袋ナット部と、この袋ナット部に一体連設されるアンカー部と、前記袋ナット部のねじ軸心と平行で、かつ、そのねじ軸心を含まない面を有するフランジと、そのフランジを前記袋ナット部の外周より外側に位置させた状態で前記袋ナット部に一体連設させる連設部とを備え、前記接続面を前記他方のコンクリートセグメントの連結端面と同面となるように、かつ、前記フランジと連設部との前記接続面側の端面を前記他方のコンクリートセグメントの連結端面よりも前記アンカー部側へ引退させた状態で、前記他方のコンクリートセグメントに埋設されているコンクリートセグメントの連結構造。
【請求項４】
前記第２連結金具が、前記ねじ軸心の方向視で、前記袋ナット部をトンネル径方向において内側にし、前記フランジをトンネル径方向において外側にして前記他方のコンクリートセグメントに埋設されている請求項３に記載のコンクリートセグメントの連結構造。
【請求項５】
前記第２連結金具が、前記ねじ軸心の方向視で、前記袋ナット部を前記他方のコンクリートセグメントの厚さ方向の中央より内側にし、前記フランジを前記他方のコンクリートセグメントの厚さ方向の中央より外側にして埋設されている請求項４に記載のコンクリートセグメントの連結構造。
【発明の詳細な説明】
【０００１】
【発明の属する技術分野】
本発明は、主として、トンネル周方向及びトンネル軸方向に多数並べて互いに連結することにより、トンネル内壁を形成するために用いられるコンクリートセグメントどうしの連結金具とその連結金具を用いたコンクリートセグメントの連結構造に係り、詳しくは、接続面側に雌ねじ部を有する袋ナット部と、この袋ナット部に一体連設されるアンカー部とを備えて、コンクリート製のセグメント本体に、前記接続面がセグメント本体の連結端面と同面となるように埋設装備されるコンクリートセグメント用連結金具とその連結金具を用いたコンクリートセグメントの連結構造に関する。
【０００２】
【従来の技術】
コンクリートセグメントどうしを連結するには、特開２００１−７３６９３号公報に示されたもののように、一方のセグメントに、ボルト操作用空間が形成されるように構成された雄連結金具を埋設して一体装備するとともに、他方のセグメントには、前述の連結金具、即ち雌連結金具を埋設して一体装備しておき、連結ボルトを、雄連結金具に形成された孔を通して雌連結金具の袋ナット部に螺着するようにした構成の連結構造が知られている。
【０００３】
【発明が解決しようとする課題】
セグメントには、トンネル外部から作用する土圧に抗する強度が持たされているが、隣合うセグメントに均等に作用することは希であり、殆どの場合は隣合うセグメント夫々に作用する土圧が異なる。そのため、両セグメント間、即ち連結ボルトには引張りだけでなくせん断力が作用することが多いので、そのせん断力によって連結金具とコンクリート製のセグメント本体との間の剥離や、セグメント本体に亀裂が生じる等の不都合に対処できるようにしておく必要がある。
【０００４】
この場合、操作用空間部を形成するために比較的大きさの大きい雄連結金具は、セグメント本体との接触面積が十分に取れて、前述の不都合無くせん断力に十分対向できるのであるが、比較的小さい部品となる雌連結金具は、セグメント本体との接触面積が不十分となり易いものであり、耐せん断力を雄連結金具のように十分なものには設定し難い。そのため、せん断力によって雌連結金具の両脇部位におけるセグメント本体が、せん断作用方向と約４５度傾斜した方向に亀裂が生じて辷り破壊すること、所謂コーン破壊に対抗する強度を補強し難い面がある。
【０００５】
そこで、前述した公報（特開２００１−７３６９３号）の図２、図３に示されたように、袋ナット部（符号６）の両サイドにリブ（符号１１）を一体形成することにより、せん断方向の面積を増やして対抗できるように工夫されてはいたが、十分なものでは無かった。このような実状に鑑みることにより、本発明の目的は、雌側の連結金具の形状・構造を見直すことにより、効果的に耐せん断力を向上させることができるようにする点にある。
【０００６】
【課題を解決するための手段】
〔構成〕
コンクリートセグメント用連結金具に係る請求項１の構成は、図１〜図４に例示する如く、接続面８側に雌ねじ部１０を有する袋ナット部６と、この袋ナット部６に一体連設されるアンカー部７とを備えて、コンクリート製のセグメント本体ｓに、接続面８がセグメント本体ｓの連結端面ｔ２と同面となるように埋設装備されるコンクリートセグメント用連結金具において、
袋ナット部６のねじ軸心Ｐと平行で、かつ、そのねじ軸心Ｐを含まない面９ａを有したフランジ９を、これと袋ナット部６とに亘る連設部１３を架設することにより、袋ナット部６の外周より外側に位置させた状態で、かつ、フランジ９と連設部１３との接続面８側の端面を接続面８よりもアンカー部７側へ引退させた状態で該袋ナット部６に一体に連設してあることを特徴とする。
【０００７】
請求項２の構成は、図１、図２、図４に例示する如く、請求項１の構成において、連設部１３に貫通孔１４とリブ１５を形成し、ねじ軸心Ｐに沿って貫通孔１４を跨いだ状態でリブ１５を形成してあることを特徴とするものである。
【０００８】
尚、上述のように、図面との対照を便利にするために符号を記したが、該記入により本発明は添付図面の構成に限定されるものではない。
【０００９】
〔作用〕
請求項１の構成によれば、袋ナット部のねじ軸心と平行で、かつ、そのねじ軸心を含まない面を有したフランジを、袋ナット部の外周より外側に位置させた状態で袋ナット部に一体に連設してあるから、連結金具をねじ軸心に交差し、かつ、フランジの面にも交差する方向に占める面積を大きくすることが容易であり、その方向での耐せん断力を効率良く向上させることができる。
【００１０】
例えば、図１に示すように、トンネル軸方向で隣合うセグメントＳ１，Ｓ２どうしの雌側連結金具として用いれば、セグメントＳ１，Ｓ２どうしのトンネル径方向での位置ずれに伴って雌連結金具Ｋ２における耐せん断力を改善することができる。この場合の耐せん断力とは、雌連結金具Ｋ２に作用するトンネル径方向の力によって、雌連結金具Ｋ２がコンクリート製のセグメント本体ｓを押すことになり、その押し力によってセグメント本体ｓに亀裂等の損傷が生じ始めるときの耐力値のことであり、フランジの存在により、従来に比べて耐せん断力を大きくすることができるのである。
【００１１】
そして、フランジと袋ナット部とを一体に連設するべく、これら両者に亘って架設される連設部を設け、フランジと連設部との前記接続面側の端面を接続面よりもアンカー部側へ引退させた状態で袋ナット部に一体に連設してあるので、連結金具がセグメント本体の厚み方向における中央からずれた位置に埋設されるような場合には、耐せん断力を高めるフランジはセグメントの厚み方向で中央に位置させることができ、内径側及び外径側のいずれの厚み方向における耐せん断力を均等又はほぼ均等に設定することが可能になる。
【００１２】
又、袋ナット部とフランジとの双方によって耐せん断力を受け持つようになるので、例えば、袋ナット部の両脇に連続させてフランジを形成させた場合に比べて、有効面積を無理なく増加させることができ、より耐せん断力を向上させることが可能となる点で有利でもある。
【００１３】
請求項２の構成によれば、フランジと袋ナット部とに亘る連設部に貫通孔を形成してあるから、コンクリート製のセグメント本体に埋設装備される補強用の配筋（鉄筋）や、専用の棒状鉄筋等を貫通孔に通した状態で連結金具を埋設することが可能になり、それによってより強固にセグメント本体との一体化を図れるようになる。
そして、連設部にリブを設け、そのリブをねじ軸心に沿って貫通孔を跨いだ状態に形成したことによってコンクリートとの付着面積が増し、一体化強度が向上する作用を期待し得るようになる。又、連設部における貫通孔を跨いだ状態にリブを形成することにより、貫通孔を設けることによる連設部の強度低下分を補償できる作用も得られる。
【００１４】
〔効果〕
請求項１に記載のコンクリートセグメント用連結金具では、袋ナット部のねじ軸心と平行で、かつ、ねじ軸心を含まない面を有したフランジを、袋ナット部に、その外周より外側に位置させた状態で一体連設するだけの簡単な改造としながら、ねじ軸心に交差する方向における連結金具とセグメント本体との間における耐せん断力を効果的に高めることができ、セグメントどうし連結強度向上に寄与するものを提供することができた。
【００１５】
そして、袋ナット部が埋設されるセグメントの厚み方向で中央からずれて位置する場合でも、一方及び他方の厚み方向における耐せん断力を同一条件又はそれに近づけることができ、この均等化によって実質的に耐せん断力を高めることができる利点がある。又、連設部の存在により、厚み方向の耐せん断力向上や、厚み方向に直交する方向での耐せん断力も向上するようになった。
【００１６】
請求項２に記載のコンクリートセグメント用連結金具では、請求項１の構成による前記効果を奏するとともに、連設部に形成された貫通孔を、これに配筋を通してセグメント本体との一体化強度を向上できるといった具合に、フランジを袋ナット部に一体化させるための機能以外の機能を連設部に持たせることができ、より合理的なものにできる利点がある。
そして、貫通孔を設けたことによる連設部の強度低下を、リブによって回避できる利点もある。
【００１７】
〔構成〕
コンクリートセグメントの連結構造に係る請求項３の構成は、図１〜図４に例示する如く、一方のコンクリートセグメントＳ１に埋設される第１連結金具Ｋ１と、他方のコンクリートセグメントＳ２に埋設される第２連結金具Ｋ２と、これら両連結金具Ｋ１，Ｋ２を螺着する連結ボルトＢとを用いて連結するコンクリートセグメントの連結構造において、
第２連結金具Ｋ２が、接続面８側に雌ねじ部１０を有する袋ナット部６と、この袋ナット部６に一体連設されるアンカー部７と、袋ナット部６のねじ軸心Ｐと平行で、かつ、そのねじ軸心Ｐを含まない面を有するフランジ９と、そのフランジ９を袋ナット部６の外周より外側に位置させた状態で袋ナット部６に一体連設させる連設部１３とを備え、接続面８を他方のコンクリートセグメントＳ２の連結端面ｔ２と同面となるように、かつ、フランジ９と連設部１３との接続面８側の端面を他方のコンクリートセグメントＳ２の連結端面ｔ２よりもアンカー部７側へ引退させた状態で、他方のコンクリートセグメントＳ２に埋設されていることを特徴とする。
【００１８】
請求項４の構成は、図６に例示する如く、請求項３の構成において、第２連結金具Ｋ２が、ねじ軸心Ｐの方向視で、袋ナット部６をトンネル径方向において内側にし、フランジ９をトンネル径方向において外側にして他方のコンクリートセグメントＳ２に埋設されていることを特徴とするものである。
【００１９】
請求項５の構成は、図６に例示する如く、請求項４の構成において、第２連結金具Ｋ２が、ねじ軸心Ｐの方向視で、袋ナット部６を他方のコンクリートセグメントＳ２の厚さ方向の中央より内側にし、フランジ９を他方のコンクリートセグメントＳ２の厚さ方向の中央より外側にして埋設されていることを特徴とするものである。
【００２０】
尚、上述のように、図面との対照を便利にするために符号を記したが、該記入により本発明は添付図面の構成に限定されるものではない。
【００２１】
〔作用〕
請求項３の構成によれば、コンクリートセグメント用連結金具に係る請求項１において記述したように、第２連結金具をねじ軸心に交差し、かつ、フランジの面にも交差する方向に占める面積を大きくすることが容易であり、その方向での耐せん断力を効率良く向上させることができる。
そして、第２連結金具が他方のコンクリートセグメントの厚み方向における中央からずれた位置に埋設されるような場合には、耐せん断力を高めるフランジはセグメントの厚み方向で中央に位置させることができ、内径側及び外径側のいずれの厚み方向における耐せん断力を均等又はほぼ均等に設定することが可能になり、又、袋ナット部とフランジとの双方によって耐せん断力を受け持つようになるので、例えば、袋ナット部の両脇に連続させてフランジを形成させた場合に比べて、有効面積を無理なく増加させることができ、より耐せん断力を向上させることが可能となる点で有利でもある。
【００２２】
請求項４の構成によれば、第２連結金具が、ねじ軸心の方向視で、袋ナット部をトンネル径方向において内側にし、フランジをトンネル径方向において外側にして他方のコンクリートセグメントに埋設されているから、図６を参照して後述するように、耐せん断力が効果的に向上する。
【００２３】
請求項５の構成によれば、第２連結金具が、ねじ軸心の方向視で、袋ナット部を他方のコンクリートセグメントの厚さ方向の中央より内側にし、フランジを他方のコンクリートセグメントの厚さ方向の中央より外側にして埋設されているから、図６を参照して後述するように、トンネル内径側及び外径側の内外いずれの方向のせん断力が作用しても、同等又はほぼ同等のせん断耐力が発揮されるようになる。
【００２４】
〔効果〕
請求項３に記載のコンクリートセグメントの連結構造では、コンクリートセグメント用連結金具に係る請求項１において記述したように、簡単な改造によって、ねじ軸心に交差する方向における第２連結金具とコンクリートセグメントとの間における耐せん断力を効果的に高めることができ、又、連設部の存在により、コンクリートセグメントの厚み方向の耐せん断力向上や、厚み方向に直交する方向での耐せん断力も向上するようになった。
【００２５】
請求項４に記載のコンクリートセグメントの連結構造では、請求項３の構成による前記効果を奏するとともに、耐せん断力が効果的に向上するようになった。
【００２６】
請求項５に記載のコンクリートセグメントの連結構造では、請求項４の構成による前記効果を奏するとともに、トンネル内径側及び外径側の内外いずれの方向のせん断力が作用しても、同等又はほぼ同等のせん断耐力が発揮されるようになった。
【００２７】
【発明の実施の形態】
本発明によるコンクリートセグメント用連結金具とその連結金具を用いたコンクリートセグメントの連結構造の実施の形態を図面に基づいて説明する。この連結金具は、図１〜図４に示すように、一方のコンクリートセグメントＳ１の円弧状のトンネル軸方向端面ｔ１側に埋設される鋳造製の第１連結金具（雄側の連結金具）Ｋ１と、他方のコンクリートセグメントＳ２の円弧状のトンネル軸方向端面ｔ２側に埋設される鋳造製の第２連結金具（雌側の連結金具）Ｋ２と、これら両者Ｋ１，Ｋ２を螺着する連結ボルトＢとで構成されている。
【００２８】
即ち、第１連結金具Ｋ１には、連結用のボルトＢが挿通されるボルト挿通孔１が設けられ、第２連結金具Ｋ２には、ボルトＢが螺合される雌ねじ部１０が設けられていて、これら両連結金具Ｋ１，Ｋ２を連結ボルトＢを用いて連結することにより、隣合うコンクリートセグメントＳ１，Ｓ２を連結一体化する。
【００２９】
図１〜図４に示すように、第１連結金具Ｋ１は、一方のコンクリートセグメントＳ１の連結端面と同面となる接続面３を有した鋳鉄製の金具本体２と、一対の棒状鉄筋製のアンカー４，４とから構成されている。金具本体２は略箱状に形成されており、左右中央位置にボルト挿通用の貫通孔１が形成されているとともに、左右両脇の各突出部２ａ，２ａの夫々にアンカー４を螺着装備してある。第１連結金具Ｋ１を、コンクリート製のセグメント本体ｓに埋設するに際しては、第１連結金具Ｋ１の裏側に中子を位置させてコンクリートを硬化させ、第１連結金具Ｋ１の裏側に、連結ボルトＢを挿入して第２連結金具Ｋ２に螺合するための操作空間５が形成されるようになっている。
【００３０】
図１〜図４に示すように、第２連結金具Ｋ２は、他方のコンクリートセグメントＳ２の連結端面と同面となる接続面８を有し、その接続面８側に雌ねじ部１０を有する袋ナット部６と、その袋ナット部６に連設されてセグメント本体ｓの内方に位置するようになるアンカー部７と、袋ナット部６に一体に連設されたフランジ９とから成る鋳鉄製のものに構成されている。
【００３１】
袋ナット部６は、裾広がり状（裁頭円錐状）の接続側部分６ａと、それに続く略円筒状の本体部分６ｂとから成り、内部に雌ねじ部１０が形成されている。接続側部分６ａの接続面８の両側には、セグメント本体ｓに埋設する際の位置決め用穴１１を備えた突出部１２が形成されている。本体部分６ｂの上面側には、その上方に離れた位置にて横臥姿勢のフランジ９を一体化するための縦壁状連設部１３が形成され、そのフランジ９と連設部１３の接続面８側の端面が、その接続面８よりもアンカー部７側へ引退している。この連設部１３には、貫通孔１４を形成してあるとともに、その貫通孔１４を跨いだ状態で雌ねじ部１０のねじ軸心Ｐに沿って前後向き（トンネル周方向）のリブ１５を形成してある。
【００３２】
リブ１５は、連設部１３におけるコンクリートとの付着面積を増やして、セグメント本体ｓとの一体化強度を改善するとともに、貫通孔１４を設けたことにより、その部位における連設部１３の強度が低下するのを補償する機能も有しており、リブ１５の幅や高さは連設部１３の嵩や大きさに応じて適宜に設定する。又、そのリブの形状としては、貫通孔１４の両脇において、袋ナット部６とフランジ９とに亘って形成された縦向きのリブとしても良い。又、貫通孔１４の両サイドの肉厚を厚くする手段も有効である。
【００３３】
アンカー部７は、基本的には円柱状であり、その長手方向に沿う上下の縦リブ１６，１６、及び複数の円周リブ１７が外周に一体形成されているとともに、先端には鍔部１８が形成されている。そして、アンカー部７の左右両側には、袋ナット部６から続く長尺状の補強リブ１９，１９が一体形成されている。又、袋ナット部６の外周より外側に位置するフランジ９は、袋ナット部６のねじ軸心Ｐと平行で、かつ、そのねじ軸心Ｐを含まないフランジ面９ａを有している。尚、フランジ９の左右幅（トンネル周方向幅）は、補強リブ１９，１９部分の左右幅と同等のものに設定されている。
【００３４】
図５には、部分的に透視状態のセグメントＳ１（Ｓ２）が示されており、セグメントＳ１の一方のトンネル軸方向端面ｔ１側に第１連結金具Ｋ１が、かつ、他方のトンネル軸方向端面ｔ２側に第２連結金具Ｋ２が夫々埋設配置されている。第２連結金具Ｋ２のねじ軸心Ｐは、セグメントＳ１の厚さ方向（トンネル径方向）における内側に寄った位置に設定されており、トンネル径方向で外径側に突出するフランジ９とねじ軸心Ｐとの中央となる位置が、丁度セグメント厚み方向の中央に位置する状態（図６参照）に第２連結金具Ｋ２が埋設されている。
【００３５】
又、セグメント本体ｓには、トンネル周方向及びトンネル軸方向の双方に、ループ状に屈曲された鉄棒材による補強用の縦及び横鉄筋２０，２１の複数が埋設されている。そして、縦鉄筋２０のうちの一つが、第２連結具Ｋ２の連設部１３に形成された貫通孔１４を通るように設定されており、第２連結具Ｋ２がより強固にセグメント本体ｓに一体化されるようにしてある。
【００３６】
図５においては、一方のトンネル周方向端面ｔ３側には、一対のボルト挿通用孔と４本のアンカーとを備えた雄側の第３連結金具Ｋ３が、かつ、他方の周方向端面ｔ４には、一対の雌ねじ部を備えた雌側の第４連結金具Ｋ４が夫々埋設配置されているが、第３連結金具Ｋ３を第１連結金具Ｋ１に、かつ、第４連結金具Ｋ４を第２連結金具Ｋ２に夫々置き換えても良い。
【００３７】
以上の構成による雄雌側の両連結金具Ｋ１，Ｋ２を用いて両コンクリートセグメントＳ１，Ｓ２を連結するには、先ず、第１連結金具Ｋ１の貫通孔１と、第２連結金具Ｋ２の接続面８とを位置合せし、第１連結金具Ｋ１の貫通孔１が、第２連結金具Ｋ２の雌ねじ部１０と一致する位置関係にする。次いで、第１連結金具Ｋ１裏側の操作空間５から貫通孔１に連結ボルトＢを挿通し、連結ボルトＢの雄ねじ部を袋ナット部６の雌ねじ部１０に螺合させることができ、これによって隣合う両セグメントＳ１，Ｓ２どうしを連結することができるのである。
【００３８】
フランジ９は、ねじ軸心Ｐの方向視で左右長さを有し、かつ、平面視で矩形を呈する板状であるとともに、連設部１３との一体化強度を高めるべく湾曲した一対のコーナーＲ部９ｂ，９ｂを有しており、引張りによるコーン破壊に有効な耐力を備えることができる手段である。即ち、土圧等によって隣合うセグメントＳ１，Ｓ２間にトンネル径方向のせん断力が作用すると、連結ボルトＢを介して第２連結金具Ｋ２とセグメント本体ｓとの間にせん断力が作用する。
【００３９】
つまり、図６に示すように、第２連結金具Ｋ２が、ねじ軸心Ｐの方向視で、袋ナット部６をトンネル径方向において内側にし、フランジ９をトンネル径方向において外側にして他方のコンクリートセグメントＳ２に埋設された状態では、第２連結金具Ｋ２のセグメント厚み方向に作用するせん断力により、コンクリートの耐力が限界になると、トンネル周方向視においてトンネル周方向端面ｔ３（ｔ４）には、左右夫々に約４５度傾斜した方向の亀裂ｋが生じての辷り破壊、所謂コーン破壊が生じるようになる。このコーン破壊では、破壊幅が広い程耐力は高くなるので、亀裂ｋの末端におけるセグメント内周壁ｔ５側端での崩れ部分幅Ｗが広い程耐せん断力も高い。
【００４０】
図６（イ）に示すように、フランジ９（及び連設部１３）の無い従来の第２連結金具Ｋ２’では、円筒状の袋ナット部６から始まる亀裂ｋ１に基づく崩れ部分幅Ｗ１であるに対し、本発明の第２連結金具Ｋ２では、フランジ９から始まる亀裂ｋ２に基づく崩れ部分幅Ｗ２となり、これは明らかにＷ２＞Ｗ１であって、耐せん断力が効果的に向上することが示されている。
【００４１】
又、図６（ロ）に示すように、図６（イ）の場合とは逆方向のせん断力に対しては、ねじ軸心Ｐの方向視で、袋ナット部６をセグメントの厚さ方向の中央より内側にし、フランジ９をセグメントの厚さ方向の中央より外側にして、フランジ９とねじ軸心Ｐとの中央がセグメントの厚さ方向での中央に一致又はほぼ一致していることから、補強リブ１９，１９部分からの亀裂ｋ３，ｋ３による崩れ部分幅Ｗ３が最大となり、かつ、Ｗ３≒Ｗ２であって、トンネル内径側及び外径側の内外いずれの方向のせん断力が作用しても、同等又はほぼ同等のせん断耐力が発揮されるようになっている。
【００４２】
〔別実施形態〕
《１》  ねじ軸心Ｐとフランジ９との中央位置と、セグメントｓにおける厚み方向の中央位置とが互いにずれる位置関係として、耐せん断力がトンネル内径方向と外径方向とで異なるように設定することが可能であり、トンネルの立地条件や土圧条件等に応じて適宜に設定する。
【００４３】
《２》  図示しないが、連設部に形成されるリブを貫通孔の両脇において縦向き（トンネル径方向）のものとしても良い。又、貫通孔及びリブのどちらか、或いはいずれも省略した連設部でも良い。さらに、縦向きに延びる壁としての連設部が実質的に無く、袋ナット部とフランジとが直接的に繋がる状態に形成されたものも可であり、この場合は袋ナット部とフランジとの接続部分を連設部と定義する。
【図面の簡単な説明】
【図１】  セグメントどうしの連結部の構造を示す断面側面図
【図２】  連結状態におけるセグメントどうしの連結部を示す断面側面図
【図３】  連結状態におけるセグメントどうしの連結部を示す一部切欠きの底面図
【図４】  第１連結金具及び第２連結金具を示す分解斜視図
【図５】  一部透視状態のコンクリートセグメントを示す斜視図
【図６】  （イ）はトンネル内径方向のせん断力、（ロ）はトンネル外径方向のせん断力による約４５度に分布するコーン破壊状況を示す作用図
【符号の説明】
６              袋ナット部
７              アンカー部
８ 接続面
９              フランジ
９ａ            面
１０            雌ねじ部
１３            連設部
１４            貫通孔
１５            リブ
ｓ              セグメント本体
Ｓ１ 隣合う一方のコンクリートセグメント
Ｓ２ 隣合う他方のコンクリートセグメント
ｔ２ 連結端面
Ｋ１ 第１連結金具
Ｋ２ 第２連結金具
Ｂ 連結ボルト
Ｐ              ねじ軸心
【図１】
0003933458.tif 000002
【図２】
0003933458.tif 000003
【図３】
0003933458.tif 000004
【図４】
0003933458.tif 000005
【図５】
0003933458.tif 000006
【図６】
0003933458.tif 000007